(57)【要約】【課題】アドレッシングの信頼性に優れ且つ電磁波放射を低減する機能を備えたプラズマ表示装置を提供する。【解決手段】プラズマディスプレイパネルにおいて、隔壁の水平壁部分は第１電極で覆われ且つ第２電極で覆われないように配置され、第１電極はそれが覆う水平壁部分に対して一方側に長く他方側に短く突き出ている。そして、各セルはそれに対応する２個の水平壁部分の一方から長く突き出た第１電極と第２電極との電極間隙である主間隙と、他方の水平壁部分から短く突き出た第１電極と第２電極との電極間隙である副間隙とを有している。プラズマディスプレイパネルを駆動する駆動回路は、表示放電を生じさせる表示期間において、主間隙を介して隣接する第１電極と第２電極との電極対に表示放電を生じさせるための駆動電圧を印加し、副間隙を介して隣接する第２電極と第１電極との電極対を互いに同じ電位に制御する。【選択図】図４
2008076977.tif 000002
【特許請求の範囲】
【請求項１】
プラズマディスプレイパネルと前記プラズマディスプレイパネルを駆動する駆動回路とを備えるプラズマ表示装置であって、
前記プラズマディスプレイパネルは、平行に且つ交互に配列された第１方向に延びる複数の第１電極および複数の第２電極、第２方向に延びて前記第１電極および第２電極と交差する複数の第３電極、前記第２電極と第３電極とからなるセル選択のための電極マトリクス、前記第１電極および前記電極マトリクスを支持し且つガス封入空間を挟む一対の基板、前記電極マトリクスの交点に対応付けられた複数のセルからなる画面、および前記ガス封入空間を前記複数のセルに配分する格子状の隔壁を備えており、
それぞれが前記第２方向に沿って並ぶセルで構成される複数のセル列において、前記隔壁における各セルの前記第２方向の両端を定める部分である水平壁部分は前記複数の第１電極で覆われ且つ前記複数の第２電極で覆われないように配置され、前記複数の第１電極のそれぞれはそれが覆う水平壁部分に対して前記第２方向の一方側に長く他方側に短く突き出ており、
前記複数のセル列を構成するセルが、それに対応する２個の水平壁部分の一方から長く突き出た第１電極と第２電極との電極間隙である主間隙と、他方の水平壁部分から短く突き出た第１電極と前記第２電極との電極間隙である副間隙とを有しており、
前記複数の第１電極が前記画面から延在して前記基板対における前記第１方向の第１の側の端部に配置された複数の第１端子と接続され、且つ、前記複数の第２電極が前記画面から延在して前記基板対における前記第１方向の第２の側の端部に配置された複数の第２端子と接続されており、
前記駆動回路と前記複数の第１電極とが前記第１端子を介して接続され、前記駆動回路と前記複数の第２電極とが前記第２端子を介して接続されており、
前記駆動回路は、表示データで決まる点灯すべきセルで表示放電を生じさせる表示期間において、主間隙を介して隣接する第１電極と第２電極との電極対に表示放電を生じさせるための駆動電圧を印加し、副間隙を介して隣接する第２電極と第１電極との電極対を互いに同じ電位に制御する
ことを特徴とするプラズマ表示装置。
【請求項２】
前記画面の全域において、前記隔壁における水平壁部分は前記複数の第１電極で覆われ且つ前記複数の第２電極で覆われないように配置され、前記複数の第１電極のそれぞれにおける前記ガス封入空間を覆う部分の面積よりも前記複数の第２電極のそれぞれにおける前記ガス封入空間を覆う部分の面積が大きい
請求項１に記載のプラズマ表示装置。
【請求項３】
前記画面の全域において、前記隔壁における水平壁部分は前記複数の第１電極で覆われ且つ前記複数の第２電極で覆われないよう配置され、
各セルの前記第２方向の中央に主間隙が形成される
請求項１に記載のプラズマ表示装置。
【請求項４】
前記複数のセル列は前記画面の一部分に対応し、前記複数のセル列と前記画面の残りの部分に対応する複数のセル列との間では前記第２方向のセル位置がずれている
請求項１に記載のプラズマ表示装置。
【発明の詳細な説明】
【技術分野】
【０００１】
本発明は、プラズマディスプレイパネルを備えたプラズマ表示装置に関する。
【背景技術】
【０００２】
カラー映像を表示する典型的なプラズマディスプレイパネルは、セルを発光させるための表示放電として、いわゆる面放電形式の放電（以下、これを面放電という）を起こす。面放電を起こす第１および第２の電極はマトリクス表示の行に対応する表示ラインと平行に延びる。この種のプラズマディスプレイパネルは、表示ラインに沿って並ぶセル相互の放電の干渉を防ぐ隔壁（放電障壁）を備える。
【０００３】
近年、隔壁の配置パターンとして、ストライプパターンに代わって格子パターン（閉鎖型パターンともいう）が注目されている。マトリクス表示の列ごとにガス封入空間を区画するストライプパターンとは違って、格子パターンはガス封入空間を列ごとに区画し且つ行ごとに区画する。格子パターンによれば、各セルの放電空間の四方が囲まれるので、画面における水平方向（第１方向）の放電干渉だけでなく垂直方向（第２方向）の放電干渉も防止される。
【０００４】
格子状の隔壁をもつ従来のプラズマディスプレイパネルのセル構造を図１に示す。図１において、プラズマディスプレイパネル９はガス封入空間を挟む前面板１０ｚと背面板２０とを備える。図では内部構造を解り易くするために前面板１０ｚと背面板２０とが離されているが、実際はこれらは当接する。前面板１０ｚは、ガラス基板１１、第１電極である表示電極Ｘｚ、第２電極である表示電極Ｙｚ、ＡＣ駆動のための誘電体層１７、および誘電体層１７に対するスパッタリングを防ぐ保護膜１８を備える。背面板２０は、ガラス基板２１、第３電極であるアドレス電極Ａ、誘電体層２２、格子状の隔壁２３、赤（Ｒ）の蛍光体２６、緑（Ｇ）の蛍光体２７、および青（Ｂ）の蛍光体２８を備える。
【０００５】
プラズマディスプレイパネル９の表示電極配列の形態は、画面内の表示ラインのそれぞれに一対の表示電極Ｘｚおよび表示電極Ｙｚが対応する基本的な形態である。透明導電層と金属層との積層からなる表示電極Ｘｚおよび表示電極Ｙｚは画面の水平方向（図の左右方向）に延び、垂直方向に延びるアドレス電極Ａと交差する。表示電極Ｘｚと表示電極Ｙｚとのうち、表示電極Ｙｚがアドレッシングに際してスキャン電極として用いられる。つまり、表示電極Ｙｚとアドレス電極Ａとがセル選択のための電極マトリクスを構成する。
【０００６】
隔壁２３は、アドレス電極Ａと平行な複数の垂直壁部分２４と、表示電極Ｘｚおよび表示電極Ｙｚと平行な複数の水平壁部分２５とから構成される。隔壁２３によってガス封入空間が区画されて画面内のセルに配分される。各セルのガス放電空間は、隣接する一対の垂直壁部分２４および隣接する一対の水平壁部分２５とで囲まれる。
【０００７】
このようなプラズマディスプレイパネル９の構造には、画面の高精細化、すなわちセルサイズの縮小に伴って、表示の乱れが発生し易くなるという問題がある。表示の乱れには、図２中に破線で示す領域４１における電荷の制御が次のとおり難しいことが関係する。
【０００８】
プラズマディスプレイパネル９では、表示電極Ｘｚおよび表示電極Ｙｚが水平壁部分２５と平行に配置されているので、表示電極の幅方向に放電が拡がる。しかし、ガス放電空間３１における水平壁部分２５に近い領域では正電荷および負電荷の移動度の相違による壁電圧の偏りが生じ、放電が抑制される。このため、アドレッシング・サステイン・リセット（壁電荷の初期化）を繰り返す表示動作において、各セルの面放電ギャップ６０から遠い領域（領域４１を含む）の壁電荷の初期化が不十分になる。特にスキャン電極として用いる表示電極Ｙｚの面放電ギャップ６０から遠い側の端縁の近傍である領域４１の初期化が不十分になることが、表示電極Ｙｚとアドレス電極Ａとの間の放電を不確実にする。
【０００９】
なお、プラズマディスプレイパネル９においては、特開平１０−３２８０号公報に開示されているように、奇数表示ラインと偶数表示ラインとで表示電極Ｘｚ，Ｙｚを流れる放電電流の向きを反対にすることによって、サステインにおける電磁波放射を低減することができる。
【００１０】
一方、表示電極配列の他の形態として、各セルに２つの面放電ギャップを形成する形態が知られている。例えば特開２００１−２４３８８２号公報には、図３に示すように狭い面放電ギャップ６１と広い面放電ギャップ６２とをもつセル構造が開示されている。図３では構造の理解を容易にするため、上記公報に開示された電極配列が図１の構造に適用されており、参照符合は図１，２に準じている。
【００１１】
図３のプラズマディスプレイパネル９ｂにおいて、第１電極である表示電極Ｘｚは水平壁部分２５を覆う位置に配置され、隣接する２つの表示ライン（図３では２つのセル）に対応する。第２電極である表示電極Ｙｚは水平壁部分２５の配列間隙のそれぞれに一方の水平壁部分２５に寄せて配置され、１つの表示ラインに対応する。この構造では、表示電極Ｙｚがガス放電空間３１の中央の近くに位置するので、表示電極Ｙｚに水平壁部分２５による放電抑制の影響がほとんど及ばない。
【００１２】
上記公報が開示するプラズマディスプレイパネル９ｂの駆動方法は、サステイン動作として表示電極Ｘｚに第１極性（図では正（＋））の電圧パルスを印加し、表示電極Ｙｚに第２極性（図では負（−））の電圧パルスを印加する。それにより、まず、狭い面放電ギャップ６１で面放電７１が生じ、それがトリガーとなって広い面放電ギャップ６２で面放電７２が生じる。
【特許文献１】特開平１０−３２８０号公報
【特許文献２】特開２００１−２４３８８２号公報
【発明の開示】
【発明が解決しようとする課題】
【００１３】
本発明の目的は、アドレッシングの信頼性に優れ且つ電磁波放射を低減する機能を備えたプラズマ表示装置を提供することである。
【課題を解決するための手段】
【００１４】
上記目的を達成する表示装置は、プラズマディスプレイパネルと駆動回路とを備える。プラズマディスプレイパネルは、平行に且つ交互に配列された第１方向に延びる複数の第１電極および複数の第２電極、第２方向に延びて前記第１電極および第２電極と交差する複数の第３の電極、第２電極と第３電極とからなるセル選択のための電極マトリクス、第１電極および前記電極マトリクスを支持し且つガス封入空間を挟む一対の基板、前記電極マトリクスの交点に対応付けられた複数のセルからなる画面、およびガス封入空間を前記複数のセルに配分する格子状の隔壁を備えている。画面の全体または一部分に対応し、それぞれが第２方向に沿って並ぶセルで構成される複数のセル列において、隔壁における各セルの第２方向の両端を定める部分である水平壁部分は複数の第１電極で覆われ且つ前記複数の第２電極で覆われないように配置され、複数の第１電極のそれぞれはそれが覆う水平壁部分に対して第２方向の一方側に長く他方側に短く突き出ている。複数のセル列を構成するセルは、それに対応する２個の水平壁部分の一方から長く突き出た第１電極と第２電極との電極間隙である主間隙と、他方の水平壁部分から短く突き出た第１電極と第２電極との電極間隙である副間隙とを有している。複数の第１電極は画面から延在して基板対における第１方向の第１の側の端部に配置された複数の第１端子と接続され、且つ、複数の第２電極は画面から延在して基板対における前記第１方向の第２の側の端部に配置された複数の第２端子と接続されている。駆動回路と複数の第１電極とが第１端子を介して接続され、駆動回路と複数の第２電極とが第２端子を介して接続されている。そして、駆動回路は、表示データで決まる点灯すべきセルで表示放電を生じさせる表示期間において、主間隙を介して隣接する第１電極と第２電極との電極対に表示放電を生じさせるための駆動電圧を印加し、副間隙を介して隣接する第２電極と第１電極との電極対を互いに同じ電位に制御する。
【発明の効果】
【００１５】
第２電極が関与するアドレッシングの信頼性に優れ且つ電磁波放射を低減する機能を備えたプラズマ表示装置を実現することができる。
【発明を実施するための最良の形態】
【００１６】
図４は本発明に係るプラズマディスプレイパネル２のセルの断面構造を示す。プラズマディスプレイパネル２の構成は、表示電極の配置を除いて基本的には図１のプラズマディスプレイパネル９と同様である。図４においては図１に対応する構成要素には図１と同一の符合を付してある。説明の重複を低減するため、それら構成要素の説明を省略しまたは簡略にする。
【００１７】
プラズマディスプレイパネル２は、平行に且つ交互に配列された第１の表示電極Ｘおよび第２の表示電極Ｙ、表示電極Ｘおよび表示電極Ｙと交差するアドレス電極Ａ、ガス封入空間を挟むガラス基板１１およびガラス基板２１、およびガス封入空間を区画する格子状の隔壁２３（図１参照）を備えている。図４では隔壁２３における各セル５１１，５１２の第２方向（画面の垂直方向であって図４の左右方向）の両端を定める部分である水平壁部分２５が示され、第１方向（画面の水平方向であって図４の紙面の表裏方向）の両端を定める垂直壁部分２４は図示されていない。プラズマディスプレイパネル２におけるセル選択のための電極マトリクスは表示電極Ｙとアドレス電極Ａとで構成される。
【００１８】
図４において、表示電極Ｘおよび表示電極Ｙは紙面の表裏方向に延びる帯状の導体であり、太い透明導電層と細い金属層とで構成される。ただし、層構造に限定はなく、表示電極Ｘおよび表示電極Ｙは金属のみで構成されてもよい。表示電極Ｘおよび表示電極Ｙに関して重要な事項は、隔壁の水平壁部分２５に対する配置である。
【００１９】
表示電極Ｘは、水平壁部分２５を覆い且つ水平壁部分２５に対して第２方向の一方側に長く他方側に短く突き出る。水平壁部分２５の両側に突き出るので、表示電極Ｘは隣接する２つの表示ラインに対応する。ここで、表示ラインとは、マトリクス表示の行に対応する仮想のラインである。各表示ラインには第１方向に沿って並ぶセルが対応する。図４中のセル５１１は奇数表示ラインに属し、セル５１２は偶数表示ラインに属す。なお、符合の添え字は配列における順位を示し、以下において特に順位を区別する必要がない場合には省略される。
【００２０】
表示電極Ｙは表示電極Ｘの電極間隙に配置されており、必然的に水平壁部分２５を覆わない。そして、表示電極Ｙにおけるガス放電空間３１を覆う部分の面積は、表示電極Ｘにおけるガス放電空間３１を覆う部分の面積よりも大きいことが望ましい。これは、表示電極Ｙ（スキャン電極）とアドレス電極Ａとの対向面積を十分に大きくし、それによってアドレス放電を起こり易くするための配慮である。
【００２１】
各セル５１は、それに対応する２個の水平壁部分２５の一方から長く突き出た表示電極Ｘと表示電極Ｙとの電極間隙である主間隙６５と、他方の水平壁部分２５から短く突き出た表示電極Ｘと表示電極Ｙとの電極間隙である副間隙６６とを有している。各セル５１に２つの電極間隙が存在する点は図３の従来のプラズマディスプレイパネル９ｂと同様である。しかし、２つの電極間隙の関与する面放電の形態は同様ではない。
【００２２】
プラズマディスプレイパネル２においては、表示放電を生じさせるとき、主間隙６５を挟む電極対の一方の電極は陽極とされ、他方は陰極とされる。そして、副間隙６６を挟む電極対は同電位とされる。図示において、セル５１１の主間隙６５を形成する表示電極Ｘは陽極であり、表示電極Ｙおよび副間隙６６をを形成する表示電極Ｘは陰極である。セル５１１とセル５１２とに対応する表示電極Ｘが陰極であるので、セル５１２では表示電極Ｙおよび副間隙６６をを形成する表示電極Ｘが陽極である。
【００２３】
副間隙６６を挟む電極対を同電位とすることにより、主間隙６５で起こった面放電７５，７７は表示電極Ｙおよび副間隙６６を超えて拡がり、表示電極Ｘ間の面放電７６，７８になる。これにより、蛍光体２８が広範囲に励起されて発光量が増大するとともに、表示電極Ｙ（スキャン電極）を覆う誘電体１７の帯電の偏りが低減される。さらに以下に説明するように電磁波放射が低減される。
【００２４】
電磁波放射には表示電極への通電の形態が関係する。一般に、図５のようにガラス基板１１の一端側の端部に表示電極Ｘの端子Ｔｘを配置し、他端側の端部に表示電極Ｙの端子Ｔｙを配置する。これにより、駆動用の集積回路との接続を含む配線が簡便且つ安価になる。
【００２５】
しかし、図５の構成において、表示放電を生じさせるために単純に全ての表示電極Ｘを陽極（または陰極）とし表示電極Ｙを陰極（または陽極）とする通電を行うと、全ての表示ラインにおいて放電電流は図の左から右へ（またはその逆）へ流れ、それによって強い磁界が生じる。したがって、電磁波放射を低減するには、多少なりとも磁界が打ち消されるように、表示電極を流れる電流の方向が異なる表示ラインを混在させる必要がある。
【００２６】
プラズマディスプレイパネル２においては、上述のとおり副間隙６６を形成する電極対を同電位に制御することにより、図６に示されるように電流の流れる方向が異なる表示ラインを混在させることができる。例えば表示電極Ｙ１が負極性（−）のとき、表示電極Ｙ２は正極性（＋）であるので、表示電極Ｙ１と表示電極Ｙ２とで電流の方向が反対である。また、表示電極Ｘ１，Ｘ３と表示電極Ｘ２とで電流の方向が反対である。
【００２７】
なお、図６において、表示電極Ｘは櫛状の透明導体帯１３と斜線で示される真っ直ぐな金属帯１５とで構成される。金属帯１５の全体が透明導体帯１３と重なるので、表示電極Ｘの平面視形状は透明導体帯１３の形状と一致する。表示電極Ｙも櫛状の透明導体帯１４と斜線で示される真っ直ぐな金属帯１６とで構成される。また、図６においては、マトリクス表示の奇数列に対応するセル列のうちの２個のセル５１１，５１２と、偶数列に対応するセル列のうちの２個のセル５２１，５２２とが２点鎖線で示されている。
【００２８】
図７は駆動波形の一例を示す。プラズマディスプレイパネル２の駆動にはフレームを複数のサブフレームに置き換える広く知られるサブフレーム法が適用され、各サブフレームに、アドレス期間、表示期間（サステイン期間とも呼ばれる）、およびリセット期間が割り当てられる。図では、電磁波放射の低減に係わる表示期間の駆動電圧波形および発光のタイミングが示されている。
【００２９】
表示期間において、表示電極Ｘ１，Ｘ３，Ｘ５および表示電極Ｙ２，Ｙ４にデューティ比５０％のパルス列信号Ｓ１が印加される。表示電極Ｘ２，Ｘ４および表示電極Ｙ１，Ｙ３，Ｙ５には、パルス列信号Ｓ１に対して位相が１／２周期ずれたパルス列信号Ｓ２が印加される。これにより、奇数表示ラインＬ１，Ｌ３，Ｌ５と偶数表示ラインＬ２，Ｌ４とに係わらず、セル５１１〜５１５においてパルス列信号Ｓ１の１／２周期の間隔で表示放電が起こって発光が生じる。
【００３０】
表示電極Ｘおよび表示電極Ｙのパターンには、以下に例示する多様な変形がある。
【００３１】
図８において、表示電極Ｘｂおよび表示電極Ｙｂにおける主間隙６５を形成する櫛歯部分はＴ字状である。また、表示電極Ｘｂにおける副間隙６６側の端縁は、隔壁２３の垂直壁部分の間のみにおいて突出する。Ｔ字状は四角形と比べて放電電流の抑制の上で有利である。
【００３２】
図９において、表示電極Ｙｃは一定幅の帯状であり、表示電極Ｘｃよりも細い。表示電極Ｘｃの主間隙６５を形成する櫛歯部分は図６の表示電極Ｘの櫛歯部分と比べて長い。したがって、各セル５１，５２における発光中心となる主間隙６５の第２方向の位置はセルの中心とほぼ一致する。これは表示むらを目立たなくする効果を生む。
【００３３】
図１０において、表示電極Ｘｄは図９の表示電極Ｘｃにおける副間隙６６側の端縁を隔壁２３の垂直壁部分の間のみにおいて突出するように変形したものである。
【００３４】
図１１において、表示電極Ｘｅにおける主間隙６５を形成する櫛歯部分は先端に向かって広がる形状である。
【００３５】
図１２において、表示電極Ｙｆは一定幅の帯状であり、図１０の表示電極Ｙｃよりも細い。一方、表示電極Ｘｆにおける副間隙６６を形成する櫛歯部分は図１０の表示電極Ｘｄの櫛歯部分と比べて長い。表示電極Ｙｆを細くすると、表示電極Ｙｆを流れる放電電流が減少する。これにより、サステイン回路と表示電極Ｙｆとの間に配置されて放電電流がスルーするスキャン回路に対する電流容量および発熱対策の要求が緩和される。したがって、安価な集積回路によってスキャン回路を構成することができる。
【００３６】
次にセル配置の変形例を図１３に示す。図１３（Ａ）が示すプラズマディスプレイパネル３は、図６のプラズマディスプレイパネル２と同様に表示電極Ｘおよび表示電極Ｙを備える。しかし、プラズマディスプレイパネル３はプラズマディスプレイパネル２の隔壁２３に代えて図１３（ｂ）に良く示される格子状の隔壁２３ｂを備える。
【００３７】
隔壁２３ｂは、セルの第１方向の両端を定める垂直壁部分２４とセルの第２方向の両端を定める水平壁部分２５とからなる。この点は隔壁２３と同様である。しかし、隔壁２３ｂにおいては、水平壁部分２５の第２方向の位置が、マトリクス表示の奇数列と偶数列とでずれている。すなわち、図１３（Ａ）のとおり、セル５１が属する奇数列に対応するセル列（画面の第２方向の全長にわたるセル集合）においては、プラズマディスプレイパネル２と同様に水平壁部分２５は表示電極Ｘで覆われ表示電極Ｙには覆われない。これに対して、セル５２ｂが属する偶数列に対応するセル列においては、水平壁部分２５は表示電極Ｙで覆われ表示電極Ｘには覆われない。言い換えれば、電極配列はプラズマディスプレイパネル２と変えずに、奇数列と偶数列とでセルの垂直位置が異なる三角配列となるように水平壁部分２５は配置されている。
【００３８】
プラズマディスプレイパネル３においては、図１３（Ｂ）中に丸印で表す発光中心と＋印で表すセル中心との第２方向の位置関係が反対である。これにより、各セルで発光中心がセル中心と一致しないことに起因する表示むらが目立たなくなる。
【００３９】
以上の実施形態は図１４に示す構成のプラズマ表示装置１において実施することができる。
【００４０】
図１４において、プラズマ表示装置１は、カラー表示の可能な画面５０を有する３電極面放電ＡＣ型のプラズマディスプレイパネル２（または３）と、プラズマディスプレイパネルを駆動する駆動回路９０とから構成さる。
【００４１】
画面５０は、表示電極Ｙとアドレス電極Ａとで構成される電極マトリクスの交点に対応づけられるセルの集合である。
【００４２】
駆動回路９０は、表示電極Ｙに選択的にスキャンパルスを印加するスキャンドライバ９１、奇数番目の表示電極Ｙに一斉にパルス列信号Ｓ２を印加するサステインドライバ９２、偶数番目の表示電極Ｙに一斉にパルス列信号Ｓ１を印加するサステインドライバ９３、奇数番目の表示電極Ｘに一斉にパルス列信号Ｓ１を印加するサステインドライバ９４、偶数番目の表示電極Ｘに一斉にパルス列信号Ｓ２を印加するサステインドライバ９５、アドレス電極Ａに駆動電圧を印加するアドレスドライバ９６、プラズマディスプレイパネル２への駆動電圧の印加を制御するコントローラ９７、および電源回路９８を備える。サステインドライバ９２〜９５はリセット期間において電荷の初期化のためのパルスを対応する表示電極に印加する回路を含んでいる。
【００４３】
駆動回路９０には、ＴＶチューナ、コンピュータなどの画像出力装置からフレームレート１／３０秒のカラー映像信号が入力される。このカラー映像信号は、コントローラ９７のデータ処理ブロックによってプラズマディスプレイパネル２による表示のためのサブフレームデータに変換される。
【００４４】
図１５は駆動波形の変形例を示す。図１５が示す駆動方法は、サステイン動作を行うにあたって表示電極Ｘをそれらの配列順に４つのグループに分け、各グループでは同位相で且つ電極の配列順に位相がずれるように、１／４周期ずつ位相がずれたパルス列信号Ｓ１，Ｓ２，Ｓ３，Ｓ４を表示電極Ｘに印加する。また、表示電極Ｙに対しては、上述のとおり副間隙を介して隣接する表示電極Ｘと同電位になるようにパルス列信号Ｓ１，Ｓ２，Ｓ３，Ｓ４を印加する。例えば、パルス列信号Ｓ１は表示電極Ｘ１，Ｘ５および表示電極Ｙ４に印加され、パルス列信号Ｓ２は表示電極Ｘ２および表示電極Ｙ１，Ｙ５に印加される。
【００４５】
この駆動方法によれば、奇数表示ラインＬ１，Ｌ３，Ｌ５と偶数表示ラインＬ２，Ｌ４との間で表示放電のタイミングがパルス列信号の１／４周期だけずれる。その結果、画面全体における放電電流の時間的な集中が緩和される。ピーク電流量が１／２に下がるので、駆動電圧降下が低減される。それにより、各セルの表示放電の強度が増して輝度が高まる。また、駆動マージンが大きくなる。
【００４６】
この駆動方法の実施に際しては、図１４の装置構成において表示電極Ｘおよび表示電極Ｙにパルス列信号Ｓ３，Ｓ４を印加するサステインドライバを追加すればよい。
【００４７】
以上の実施形態において、電極のパターンや寸法、駆動波形、電圧、駆動シーケンス、装置構成などは、本発明の趣旨に沿う範囲内で適宜変更することができる。例えば、隔壁２３ｂに代えて、マトリクス表示の異なる列に対応し且つ発光色が同じである隣接するセル列の間でセルの垂直位置がずれるような隔壁を設けることができる。
【産業上の利用可能性】
【００４８】
本発明は、パーソナルコンピュータやワークステーションなどの情報処理機器のディスプレイ、平面型のテレビジョン、広告や案内情報などの公衆表示用のディスプレイなど、面放電型プラズマディスプレイパネルを備えた表示装置に利用することができる。
【図面の簡単な説明】
【００４９】
【図１】格子状の隔壁をもつ従来のプラズマディスプレイパネルのセル構造を示す図である。
【図２】従来の表示電極配置を示す図である。
【図３】従来の他の表示電極配置を示す図である。
【図４】本発明に係るプラズマディスプレイパネルのセルの断面構造を示す図である。
【図５】本発明に係る表示電極の端子の配置を示す図である。
【図６】表示電極を流れる電流の方向を示す図である。
【図７】駆動波形の一例を示す図である。
【図８】表示電極の形状の変形例を示す図である。
【図９】表示電極の形状の変形例を示す図である。
【図１０】表示電極の形状の変形例を示す図である。
【図１１】表示電極の形状の変形例を示す図である。
【図１２】表示電極の変形例における電流の方向を示す図である。
【図１３】セル配置の変形例を示す図である。
【図１４】プラズマ表示装置の構成の一例を示す図である。
【図１５】駆動波形の他の例を示す図である。
【符号の説明】
【００５０】
１    プラズマ表示装置
２，３    プラズマディスプレイパネル
９０    駆動回路
Ｘ，Ｘｂ，Ｘｃ，Ｘｄ，Ｘｅ，Ｘｆ    表示電極（第１電極）
Ｙ，Ｙｂ，Ｙｃ，Ｙｄ，Ｔｅ，Ｙｆ    表示電極（第２電極）
Ａ  アドレス電極（第３電極）
１１，２１  ガラス基板
２３，２３ｂ    隔壁
５１，５２，５２ｂ    セル
２４    垂直壁部分
２５    水平壁部分
６５    主間隙
６６    副間隙
Ｔｘ    端子（第１端子）
Ｔｙ    端子（第２端子）
７５，７６    表示放電
【図１】
2008076977.tif 000003
【図２】
2008076977.tif 000004
【図３】
2008076977.tif 000005
【図４】
2008076977.tif 000006
【図５】
2008076977.tif 000007
【図６】
2008076977.tif 000008
【図７】
2008076977.tif 000009
【図８】
2008076977.tif 000010
【図９】
2008076977.tif 000011
【図１０】
2008076977.tif 000012
【図１１】
2008076977.tif 000013
【図１２】
2008076977.tif 000014
【図１３】
2008076977.tif 000015
【図１４】
2008076977.tif 000016
【図１５】
2008076977.tif 000017